(57)【要約】【課題】少ない組立工数・部品点数で組立を行うことが可能であり、かつ排水機能を付与することができる充電機器を提供することを目的とする。【解決手段】下ケース３に上ケース２の充電端子９より侵入された水を排出する役割を果たす水抜け穴５が設けられており、前記水抜け穴５は異物侵入防止機能を果たす天板６を設け、前記天板を支える少なくとも３本以上の支えリブ７から成り立っており、また前記天板より開口幅制限のための、また前記水抜け穴と充電機器底面との間に表面張力が発生するのを防止するためのピン８を付随することを特徴とする。【選択図】図２
2010259127.tif 000002
【特許請求の範囲】
【請求項１】
少なくとも電池を搭載した被充電機器本体もしくは電池単体のいずれかを載せて充電を行うポケットを備えた上ケースと前記上ケースに係合される下ケースとからなる本体ケースと、前記本体ケースに載せた前記被充電機器本体もしくは前記電池単体を充電する際の充電接点となる充電端子と、一次回路及び二次回路とを備え、前記下ケースには前記上ケース充電端子部隙間より侵入された水を排出する役割を果たす水抜け穴が設けられており、前記水抜け穴には異物侵入防止機能を果たすための天板を前記水抜け穴上部に設け、前記天板を支えるための少なくとも３本以上の支えリブから成り立っており、また前記天面には前記水抜け穴の径より小さい径のピンを設けることを特徴とする充電装置の防水構造。
【請求項２】
前記ピンは前記水抜け穴の開口幅を制限する役割を果たし、また前記充電機器より進入した水を排水する際に、前記水抜け穴と底面との間に生じる表面張力の発生を防ぎ、排水の効率を上げることを特徴とする請求項１記載の充電装置の防水構造。
【発明の詳細な説明】
【技術分野】
【０００１】
本発明は、ビデオカメラ装置、デジタルスチルカメラ装置、携帯電話、携帯端末等に使用する二次電池を充電するための充電機器に関するものである。
【背景技術】
【０００２】
従来、排水機能を設けるためには、電池収容筒体部または接点端子保持部材等を上下ケースの間に設けることにより、排水経路を設けていた。
【０００３】
従来の充電機器には、排水機能を設けるために、電池収容筒体部または接点端子保持部材等を上下ケースの間に設けることにより、排水経路を設けているものが知られている。
【０００４】
従来の充電機器を示す図面として、特開平７−８２５４１に記載している断面図を図４として説明する。この図において、従来の充電機器１３は上ケース１４及び下ケース１５、その間の電池収納筒体部となる中継パーツ１６から成り立っている。
【０００５】
前記中継パーツ１６は前記上ケース１４及び前記下ケース１５と嵌合する構造になっていることにより、従来の充電機器１３の上部より進入する水は前記中継パーツ１６の内部に誘導され、そのまま従来の充電機器１３の下部より排出する構造としていた。
【先行技術文献】
【特許文献】
【０００６】
【特許文献１】特開平７−８２５４１号公報
【発明の概要】
【発明が解決しようとする課題】
【０００７】
しかしながら、前記記載の充電機器においては、上下ケース以外の中継パーツを追加しなければいけないため、組立工数の増加、前記中継パーツの単価等のコストＵＰにつながるという課題を有していた。
【課題を解決するための手段】
【０００８】
前記従来の課題を解決するために、本発明の充電機器は、前記中継パーツを使わず、少なくとも電池を搭載した被充電機器本体もしくは電池単体のいずれかを載せて充電を行うポケットを備えた上ケースと前記上ケースに係合される下ケースとからなる本体ケースと、前記本体ケースに載せた前記被充電機器本体もしくは前記電池単体を充電する際の充電接点となる充電端子と、一次回路及び二次回路とを備え、前記下ケースには前記上ケース充電端子部隙間より侵入された水を排出する役割を果たす水抜け穴が設けられており、前記水抜け穴には異物侵入防止機能を果たすための天板を前記水抜け穴上部に設け、前記天板を支えるための少なくとも３本以上の支えリブから成り立っており、また前記天面には前記水抜け穴の径よりやや小さい径のピンを設けることを特徴とするというものである。
【０００９】
本発明のピンを付随することにより、前記水抜き穴の開口幅が狭くなり、開口部からの異物進入による導電物質を介した内部ショートを防ぐことが出来る構造となる。
【００１０】
また、前記記載の発明は、前記充電器より進入した水を排水する際に、前記ピンが前記水抜け穴と床面との間に生じる表面張力の発生を防ぎ、排水の効率を上げることを特徴とする。
【００１１】
前記構成によれば、前記水抜き穴径と前記ピン径の大きさの比率を保つことにより、前記水抜け穴の開口幅を一定に保つことができるため、前記水抜き穴径を大きくすることが出来る。
【００１２】
また、前記記載の発明は、下ケースから前記回路基板を組み込んだ際の充電端子位置決め用のガイドリブを設け、基板穴部を通じて充電端子を支えることにより、上ケースの電池収納部の充電端子より進入した水を確実に前記リブを介して下ケース上面に導く構造とする。
【発明の効果】
【００１３】
本発明によると、ピンが表面張力の発生を防ぐ役割を果たし、水が抜けやすくなり、また、穴径とピン径の大きさの比率を保つことから、開口幅が一定に保たれ、水抜き穴径を大きくできる。
【００１４】
さらに、前記上下ケースのみの前記回路基板固定による単純構造により、非常に簡単に製品組立を行うことができ、製品組立の効率アップ、１個辺りの組立時間の短縮による製造コストの削減を行うことができる。
【００１５】
また、前記中継パーツを使用しないため、中継パーツの金型費用および単価を削減することができる。
【図面の簡単な説明】
【００１６】
【図１】本発明の充電機器の構成を示す斜視解体図
【図２】図１に示す充電機器の水抜き穴部を示す斜視図
【図３】図１に示す充電機器の内部構成を示す断面図
【図４】従来の充電機器の内部構成を示す断面図
【発明を実施するための形態】
【００１７】
以下本発明を実施するための形態について、図面を参照しながら説明する。
【００１８】
（実施の形態１）
図１は本発明の実施の形態１における充電器１の構成を示す分解斜視図である。図１において、前記充電器１は前記上ケース２と前記下ケース３、前記回路基板４とから形成されており、前記上ケース２と前記下ケース３の間に前記回路基板４が配置され、前記上ケース２と前記下ケース３により固定される。前記下ケース３には水抜け穴５及びガイドリブ１０が設けられている。
【００１９】
図２は前記充電器１の前記水抜き穴５の斜視図である。同図を用いて、本実施の形態における水抜き構造を詳細に説明する。この前記水抜き穴５の形状は、異物侵入防止機能を果たす天板６を設け、また前記天板を支える少なくとも３本以上の支えリブ７から成り立っており、また前記天板６よりピン８が設けられている。
【００２０】
この前記ピン８が前記水抜き穴５と前記充電機器底面１２との間に発生する表面張力の発生を防ぎ、水の外部排出を促す特有の効果を有する。
【００２１】
図３は前記充電器１の縦断面図である。前記上ケース２の前記充電端子９より侵入した水は前記充電端子９および前記下ケース３の前記ガイドリブ１０を通じて前記下ケース上面１１に誘導される。誘導された水は前記水抜き穴５より外部に排出される。
【００２２】
またその際、排水効率を上げるために前記水抜き穴５の径を大きくする際には、開口幅拡大による異物の進入を防ぐために、前記水抜き穴５の径拡大と同比率で前記ピン８の径を大きくすることにより開口幅を一定に保つことが特に好ましい。
【産業上の利用可能性】
【００２３】
本発明にかかる充電機器は、前記上下ケースのみの前記回路基板固定による単純構造においても、確実に水を排出できるため、非常に簡単に製品組立を行うことができ、製品組立の効率アップ、１個辺りの組立時間の短縮による製造コストの削減を行うことに有用で
ある。
【符号の説明】
【００２４】
１    充電器
２    上ケース
３    下ケース
４    回路基板
５    水抜き穴
６    天板
７    支えリブ
８    ピン
９    充電端子
１０  ガイドリブ
１１  下ケース上面
１２  充電機器底面
１３  従来の充電機器
１４  上ケース
１６  中継パーツ
【図１】
2010259127.tif 000003
【図２】
2010259127.tif 000004
【図３】
2010259127.tif 000005
【図４】
2010259127.tif 000006